(57)【要約】      （修正有）【課題】複数の指示図案を順に連続表示させて動態的な指示と導引を行うことができる、動態避難指示装置を提供すること。【解決手段】動態避難指示装置の座体内に発光装置を設置し、且つ発光装置に対応する座体の外に指示パネルを設置し、該パネル上に複数の指示図案を設け、発光装置によりその上の複数の発光部材を制御して順に点灯と消灯の反覆動作を行わせ、該複数の指示図案を順に連続表示させて動態的な指示と導引を行うことができる、動態避難指示装置である。【選択図】図２
0003147763.tif 000002
【実用新案登録請求の範囲】
【請求項１】
座体と、
前記座体内部に設置され、上に複数の発光部材を備えた発光装置と、
前記座体の一面に設置され、且つ前記座体内部に設置された前記発光装置に対応するパネルと、
前記座体の辺縁に設置され、且つ取り付け現場の必要に応じて増設または減少することができる少なくとも１つの照明装置と、
前記座体内部に設置され、緊急状況または火災が発生したとき、予備用の電力を提供する少なくとも１つの給電装置を含み、
前記座体内の発光装置が緊急状況または火災の発生時、その上の複数の発光部材を制御して順に点灯と消灯の反覆動作を行わせ、動態的指示をすると同時に、座体辺縁の照明装置を起動して特定の物品の照明を行なうことを特徴とする、
動態避難指示装置。
【請求項２】
前記発光部材が発光ダイオード、電球、ハロゲンランプ、蛍光灯等の発光照明効果を備えた部材であることを特徴とする、請求項１に記載の動態避難指示装置。
【請求項３】
前記パネル上に複数の指示図案または文字が設けられたことを特徴とする、請求項１に記載の動態避難指示装置。
【請求項４】
前記パネルが透光材質であることを特徴とする、請求項１に記載の動態避難指示装置。
【請求項５】
前記照明装置が発光ダイオード、電球、ハロゲンランプ、蛍光灯等、関連の照明効果を達することができる部材であることを特徴とする、請求項１に記載の動態避難指示装置。
【請求項６】
前記各照明装置がユニバーサルジョイントを介して前記座体辺縁に設置されたことを特徴とする、請求項１に記載の動態避難指示装置。
【請求項７】
前記給電装置が充電可能な電池であることを特徴とする、請求項１に記載の動態避難指示装置。
【請求項８】
切換装置が設置され、緊急状況または停電時に前記切換装置により給電装置からの給電に切り換えることを特徴とする、請求項１に記載の動態避難指示装置。
【考案の詳細な説明】
【技術分野】
【０００１】
本考案は動態避難指示装置に関し、特に、動態的表示効果を備えた、動態避難指示装置に関するものである。
【背景技術】
【０００２】
建築物の高さが高くなるにつれ、火災の延焼速度が速くなる。
最も原始的な歩行の方式で最短の黄金時間内に火災発生現場から避難することでしか人体の安全を保障することはできないが、建築物内部の可燃性材料は外部から初期に進入する空気が不足するため、通常不完全燃焼をして大量の濃煙を発生する。
迅速に火災現場から避難しなければ、大量の濃煙により視界が妨げられ、避難が困難になり、命を落とす危険が増加する。
このため、現在は建築物の各階層に法規に照らして非常口に避難指示装置を設置する必要がある。
ほとんどは公共の場所、建築物及びビルの各階層の各出入口または避難動線上に避難指示装置が設置されている。
避難指示装置は通常の待機状態時においては常にオンの状態で表示用に用いられており、火災、地震、停電または緊急状況が発生し、建築物の停電が発生すると、避難指示装置のライトにより避難者がはっきりと非常口の位置を識別できるよう導引、指示し、現場からの避難に有利となる。
図１に示すように、一般のビルで使用する避難指示ランプ１は、座体１０上に透光性の指示パネル１１が設けられ、高階層建築物に火災が発生すると、前記避難指示ランプ１が座体１０内部の発光装置により指示パネル１１を照射し、指示パネル１１上に設けられた図案または文字を表示させて、避難者の避難を導引する。
現在の避難指示ランプが平時または緊急状況時に示す状態に違いはなく、緊急状況時、現在の避難指示ランプは非常口と避難動線上の指示と導引の効果を発揮することができない。
さらに、一般的な避難指示ランプ１はそのものの照射光の強度が不足したり、指示が不明瞭であったりする上、火災現場の濃煙の充満のため、往々にして正確な避難方向を見つけて火災現場から避難することができないことがあり、不必要な死傷者の発生につながっている。
【考案の開示】
【考案が解決しようとする課題】
【０００３】
本考案の主な目的は、動態避難指示装置の座体内に発光装置を設置し、且つ発光装置に対応する座体の外に指示パネルを設置し、該パネル上に複数の指示図案を設け、発光装置によりその上の複数の発光部材を制御して順に点灯と消灯の反覆動作を行わせ、該複数の指示図案を順に連続表示させて動態的な指示と導引を行うことができる、動態避難指示装置を提供することにある。
【０００４】
本考案の別の目的は、動態避難指示装置の座体辺縁に１つ以上の照明装置を設置し、且つ該照明装置と座体間にユニバーサルジョイントが連結され、前記ユニバーサルジョイントにより照明装置を必要に応じて照射角度または特定の物体を照射するよう調整することができ、且つ、取り付け現場のニーズに基づき照明灯具を増設または減少することができ、前記照明装置は待機状態が常にオフの状態で、火災または緊急状況が発生したとき、前記照明装置がすぐにオンになり、効果的な照明と指示、導引、警告効果の強化という目的を達することができる、動態避難指示装置を提供することにある。
【課題を解決するための手段】
【０００５】
本考案の動態避難指示装置は、主に座体、少なくとも１つの発光装置、パネル、少なくとも１つの給電装置、１つ以上の照明装置を含み、発光装置に順に点灯と消灯の反覆動作を行わせ、指示用の複数の指示図案を順に連続表示し、動態指示の効果を達するものであり、そのうち照明装置は必要に応じて照射角度を調整したり、特定の物体を照射したりすることができ、事故発生時の照明と導引の効果を向上することができる。
すなわち、本願の第１の考案は、座体と、前記座体内部に設置され、上に複数の発光部材を備えた発光装置と、前記座体の一面に設置され、且つ前記座体内部に設置された前記発光装置に対応するパネルと、前記座体の辺縁に設置され、且つ取り付け現場の必要に応じて増設または減少することができる少なくとも１つの照明装置と、前記座体内部に設置され、緊急状況または火災が発生したとき、予備用の電力を提供する少なくとも１つの給電装置を含み、そのうち、前記座体内の発光装置が緊急状況または火災の発生時、その上の複数の発光部材を制御して順に点灯と消灯の反覆動作を行わせ、動態的指示の効果を達すると同時に、座体辺縁の照明装置を起動して照明と特定の物品の照射機能を提供することを特徴とする、動態避難指示装置を提供する。
本願の第２の考案は、前記発光部材が発光ダイオード、電球、ハロゲンランプ、蛍光灯等の発光照明効果を備えた部材であることを特徴とする、前記第１の考案の動態避難指示装置を提供する。
本願の第３の考案は、前記パネル上に複数の指示図案または文字が設けられたことを特徴とする、前記第１の考案の動態避難指示装置を提供する。
本願の第４の考案は、前記パネルが透光材質であることを特徴とする、前記第１の考案の動態避難指示装置を提供する。
本願の第５の考案は、前記照明装置が発光ダイオード、電球、ハロゲンランプ、蛍光灯等、関連の照明効果を達することができる部材であることを特徴とする、前記第１の考案の動態避難指示装置を提供する。
本願の第６の考案は、前記各照明装置がユニバーサルジョイントを介して前記座体辺縁に設置されたことを特徴とする、前記第１の考案の動態避難指示装置を提供する。
本願の第７の考案は、前記給電装置が充電可能な電池であることを特徴とする、前記第１の考案の動態避難指示装置を提供する。
本願の第８の考案は、切換装置が設置され、緊急状況または停電時に前記切換装置により給電装置からの給電に切り換えることを特徴とする、前記第１の考案の動態避難指示装置を提供する。
【考案を実施するための最良の形態】
【０００６】
[実施例１]
図２と図３に本考案の立体外観図と立体分解図を示す。
これらの図からはっきりと分かるように、動態避難指示装置２は主に座体２１、少なくとも１つの発光装置３、パネル４、１つ以上の照明装置５、少なくとも１つの給電装置６を含む。
そのうち、前記発光装置３はその上に複数の発光部材３１を備える。
該発光ダイオード、電球、ハロゲンランプ、蛍光灯等関連の発光可能な部材のいずれかとすることができる。
発光部材３１は給電装置６と共に座体２１内部に設置される。
指示パネル４は透光性の複数の指示図案４１を備える。
指示パネル４は座体２１の一面に設置され、且つ座体２１内に設置された発光装置３に対応するようになっている。
また、照明装置５はユニバーサルジョイント５１を介して座体２１の辺縁に連結され、座体２１内に電力ソースの切り換えに用いる切換装置７が設置され、前記切換装置７は継電器とすることができる。
【０００７】
図３、図４、図５、図６、図７、図８、図９、図１０に本考案の最良の実施例図を示す。
これらの図からはっきりと分かるように、動態避難指示装置２は非常口箇所、非常ドア上方箇所、避難経路などに設置することができる。
且つユニバーサルジョイント５１により座体２１辺縁に設置された照明設備５の角度を調整し、各照明設備５に必要な角度または特定の物品を照射させることができる。且つ照明設備５は異なる角度の照射下で緊急状況の発生時に効果的に照明効果の増加と警告及び指示機能の向上を達成することができる。且つ、取り付け現場の必要に応じて照明灯具を増設または減少することができる。
待機状態にあるとき、前記動態避難指示装置２は建物の給電を利用してその内部の給電装置６に対して充電を行うことができる。
座体２１の辺縁の照明設備５はオフの状態にある。
そして、火災、緊急状況または停電が発生したときは、切換装置７により給電装置６による給電に切り換えて座体２１内に設置された発光装置３に給電し、その上の発光部材３１を制御して順に点灯と消灯の反覆動作を行わせ、パネル４上の複数の指示図案４１を順に連続反覆表示し、動態表示の効果を発生すると同時に、座体２１辺縁に設置された照明設備５は照明がオンになり、特定の物体（ドアの取っ手や階段等）を照射する。
これにより、火災発生時、パネル４上の複数の指示図案４１を順に連続反覆動態表示し、及び照明設備５を異なる角度で照射させることで、煙が充満した火災現場の避難者は動態避難指示装置２をはっきりと目視することができ、効果的な導引と指示の機能が達せられる。
【０００８】
[実施例２]
図１１に本考案の別の実施例図を示す。
この図からはっきりと分かるように、動態避難指示装置２のパネル４は透明または半透明の材質とすることができる。
火災、緊急状況または停電が発生したとき、発光装置３を介してその上の複数の発光部材３１を制御し、該複数の発光部材３を順に点灯または消灯させて図案や文字を表示させる。
避難者はこの点灯と消灯の反覆で表示される図案または文字の導引と指示により、正確な非常口または避難経路を見つけ、現場から避難することができる。
【図面の簡単な説明】
【０００９】
【図１】従来品の立体外観図である。
【図２】本考案の立体外観図である。
【図３】本考案の立体分解図である。
【図４】本考案の最良の実施例図１である。
【図５】本考案の最良の実施例図２である。
【図６】本考案の最良の実施例図３である。
【図７】本考案の最良の実施例図４である。
【図８】本考案の最良の実施例図５である。
【図９】本考案の最良の実施例図６である。
【図１０】本考案の最良の実施例図７である。
【図１１】本考案の別の実施例図である。
【符号の説明】
【００１０】
１        避難指示ランプ
１０      座体
１１      指示パネル
２        動態避難指示装置
２１      座体
３        発光装置
３１      発光部材
４        パネル
４１      指示図案
５        照明装置
５１      ユニバーサルジョイント
６        給電装置
７        切換装置
【図１】
0003147763.tif 000003
【図２】
0003147763.tif 000004
【図３】
0003147763.tif 000005
【図４】
0003147763.tif 000006
【図５】
0003147763.tif 000007
【図６】
0003147763.tif 000008
【図７】
0003147763.tif 000009
【図８】
0003147763.tif 000010
【図９】
0003147763.tif 000011
【図１０】
0003147763.tif 000012
【図１１】
0003147763.tif 000013